(57)【特許請求の範囲】
【請求項１】
帯状の絶縁体の一面において当該絶縁体の幅方向で互いに離間させた状態でｎ（ｎは２以上の自然数）本の帯状の信号用導電体を並設した信号用帯状体、および帯状の絶縁体の一面において当該絶縁体の幅方向で互いに離間させた状態でｎ本の帯状の接地用導電体を並設した接地用帯状体を重ね合わせて筒状に巻回したコイル部と、
前記各信号用導電体のうちの一つにおける前記筒状に巻回したときの巻終わり側に位置する所定部位に接続された入力端子と、当該入力端子が接続された信号用導電体を除く他のすべての前記信号用導電体における前記巻終わり側に位置する各々の所定部位にそれぞれ接続された巻終わり側信号用引出線と、当該巻終わり側信号用引出線が接続された前記各信号用導電体のうちの一つにおける前記筒状に巻回したときの巻初め側に位置する所定部位に接続された出力端子と、当該出力端子が接続された信号用導電体を除く他のすべての前記信号用導電体における前記巻初め側に位置する各々の所定部位にそれぞれ接続されると共にすべての前記信号用導電体が直列に接続されるように前記各巻終わり側信号用引出線にそれぞれ一対一で接続される巻初め側信号用引出線と、
前記各接地用導電体のうちの一つにおける前記巻終わり側に位置する所定部位に接続された接地端子と、当該接地端子が接続された接地用導電体を除く他のすべての前記接地用導電体における前記巻終わり側に位置する各々の所定部位にそれぞれ接続された巻終わり側接地用引出線と、前記接地端子が接続された接地用導電体を含む（ｎ−１）本の前記接地用導電体における前記巻初め側に位置する各々の所定部位にそれぞれ接続されると共にすべての前記接地用導電体が直列に接続されるように前記巻終わり側接地用引出線にそれぞれ一対一で接続される巻初め側接地用引出線とを備え、
前記コイル部の中心軸を通る仮想平面によって区画される当該コイル部における２つの区画部位の一方の内周側部位から前記出力端子が引き出されると共に、前記２つの区画部位の他方における外周側部位から前記入力端子が引き出され、かつ前記一方の区画部位における外周側部位から前記接地端子が引き出されているフィルタ素子であって、
前記巻終わり側接地用引出線は、前記一方の区画部位における外周側部位から引き出され、前記巻初め側接地用引出線は、前記一方の区画部位における内周側部位から引き出され、前記巻終わり側信号用引出線は、前記他方の区画部位における外周側部位から引き出され、前記巻初め側信号用引出線は、前記他方の区画部位における内周側部位から引き出されているフィルタ素子。
【請求項２】
帯状の絶縁体の一面における幅方向に沿った一方の領域において当該絶縁体の幅方向で互いに離間させてｎ（ｎは２以上の自然数）本の帯状の第１信号用導電体を並設すると共に当該一面における幅方向に沿った他方の領域において当該絶縁体の幅方向で互いに離間させてｎ本の帯状の第２信号用導電体を並設した信号用帯状体、および帯状の絶縁体の一面における幅方向に沿った一方の領域において当該絶縁体の幅方向で互いに離間させてｎ本の帯状の第１接地用導電体を並設すると共に当該一面における幅方向に沿った他方の領域において当該絶縁体の幅方向で互いに離間させてｎ本の帯状の第２接地用導電体を並設した接地用帯状体を重ね合わせて筒状に巻回したコイル部と、
前記各第１信号用導電体のうちの一つにおける前記筒状に巻回したときの巻終わり側に位置する所定部位に接続された第１入力端子と、当該第１入力端子が接続された第１信号用導電体を除く他のすべての前記第１信号用導電体における前記巻終わり側に位置する各々の所定部位にそれぞれ接続された第１巻終わり側信号用引出線と、当該第１巻終わり側信号用引出線が接続された前記各第１信号用導電体のうちの一つにおける前記筒状に巻回したときの巻初め側に位置する所定部位に接続された第１出力端子と、当該第１出力端子が接続された第１信号用導電体を除く他のすべての前記第１信号用導電体における前記巻初め側に位置する各々の所定部位にそれぞれ接続されると共にすべての前記第１信号用導電体が直列に接続されるように前記各第１巻終わり側信号用引出線にそれぞれ一対一で接続される第１巻初め側信号用引出線と、前記各第２信号用導電体のうちの一つにおける前記巻終わり側に位置する所定部位に接続された第２入力端子と、当該第２入力端子が接続された第２信号用導電体を除く他のすべての前記第２信号用導電体における前記巻終わり側に位置する各々の所定部位にそれぞれ接続された第２巻終わり側信号用引出線と、当該第２巻終わり側信号用引出線が接続された前記各第２信号用導電体のうちの一つにおける前記巻初め側に位置する所定部位に接続された第２出力端子と、当該第２出力端子が接続された第２信号用導電体を除く他のすべての前記第２信号用導電体における前記巻初め側に位置する各々の所定部位にそれぞれ接続されると共にすべての前記第２信号用導電体が直列に接続されるように前記各第２巻終わり側信号用引出線にそれぞれ一対一で接続される第２巻初め側信号用引出線と、
前記各第１接地用導電体のうちの一つにおける前記巻終わり側に位置する所定部位に接続された第１接地端子と、当該第１接地端子が接続された第１接地用導電体を除く他のすべての前記第１接地用導電体における前記巻終わり側に位置する各々の所定部位にそれぞれ接続された第１巻終わり側接地用引出線と、前記第１接地端子が接続された第１接地用導電体を含む（ｎ−１）本の前記第１接地用導電体における前記巻初め側に位置する各々の所定部位にそれぞれ接続されると共にすべての前記第１接地用導電体が直列に接続されるように前記第１巻終わり側接地用引出線にそれぞれ一対一で接続される第１巻初め側接地用引出線と、前記各第２接地用導電体のうちの一つにおける前記巻終わり側に位置する所定部位に接続された第２接地端子と、当該第２接地端子が接続された第２接地用導電体を除く他のすべての前記第２接地用導電体における前記巻終わり側に位置する各々の所定部位にそれぞれ接続された第２巻終わり側接地用引出線と、前記第２接地端子が接続された第２接地用導電体を含む（ｎ−１）本の前記第２接地用導電体における前記巻初め側に位置する各々の所定部位にそれぞれ接続されると共にすべての前記第２接地用導電体が直列に接続されるように前記第２巻終わり側接地用引出線にそれぞれ一対一で接続される第２巻初め側接地用引出線とを備え、
前記コイル部の中心軸を通る仮想平面によって区画される当該コイル部における２つの区画部位の一方の内周側部位から前記両出力端子が引き出されると共に、前記２つの区画部位の他方における外周側部位から前記両入力端子が引き出され、かつ前記一方の区画部位における外周側部位から前記両接地端子が引き出されているフィルタ素子であって、
前記両巻終わり側接地用引出線は、前記一方の区画部位における外周側部位から引き出され、前記両巻初め側接地用引出線は、前記一方の区画部位における内周側部位から引き出され、前記両巻終わり側信号用引出線は、前記他方の区画部位における外周側部位から引き出され、前記両巻初め側信号用引出線は、前記他方の区画部位における内周側部位から引き出されているフィルタ素子。
【発明の詳細な説明】
【技術分野】
【０００１】
本発明は、帯状絶縁体の一面において信号用導電体を並設した信号用帯状体と、帯状絶縁体の一面において接地用導電体を並設した接地用帯状体とを重ね合わせた状態で巻回して構成したフィルタ素子に関するものである。
【背景技術】
【０００２】
この種のフィルタ素子として、特開２００５−１８４７２４号公報において出願人が開示したフィルタ素子が知られている。このフィルタ素子は、入力端子、出力端子、接地用端子、コイル部、磁性体、引出線および配線を備えて、分布定数型の５端子型ノイズフィルタ（低域通過型のコモンモードフィルタ）に構成されている。この場合、コイル部は、例えば、同じ幅に形成された２つの帯状絶縁体、２×ｎ（ｎは２以上の自然数）本の接地用帯状導電体、および接地用帯状導電体と同数の信号用帯状導電体を備えて構成され、これらを重ね合わせた状態で巻回することにより、全体として筒状に形成されている。また、このフィルタ素子では、入力端子がコイル部の外周側部位から引き出されると共に、出力端子がコイル部の中心軸を通る仮想平面を挟んで入力端子の引出し部位とは反対側に位置するコイル部の内周側部位から引き出され、かつ接地用端子が仮想平面を挟んで入力端子の引出し部位とは反対側に位置するコイル部の外周側部位から引き出されている。また、各引出線がコイル部の内周側部位または外周側部位に位置する部位から引き出されて配線によって接続されている。この構成により、このフィルタ素子では、入力端子と出力端子との間において、複数（例えば２本）の信号用帯状導電体が引出線および配線を介して帯状絶縁体の長手方向に沿って折り返した状態で直列接続されている。したがって、入力端子と各出力端子との間に信号用帯状導電体を１本だけ配設した構成と比較して、同等の直径でありながら、信号用帯状導電体の巻回数が実質的に２倍となる結果、入力端子と各出力端子との間における信号用帯状導電体のインダクタンスを４倍に増加させることが可能となっている。
【特許文献１】特開２００５−１８４７２４号公報（第１１−１４頁、第１−４図）
【発明の開示】
【発明が解決しようとする課題】
【０００３】
ところが、上記のフィルタ素子には、改善すべき以下の課題がある。すなわち、このフィルタ素子では、コイル部から引き出された引出線を配線によって接続して複数の信号用帯状導電体を直列接続することで、信号用帯状導電体のインダクタンスを増加させることを可能としている。しかしながら、例えば、仮想平面を挟んで入力端子の引出し部位とは反対側に位置する部位からすべての引出線が引き出されているとき、つまり仮想平面によって区画される２つの区画部位の一方からすべての引出線が引き出されているときには、各引出線が輻輳して、各引出線同士を配線で接続する作業が困難となったり、各引出線や各配線同士が接触するおそれがあるという改善すべき課題が存在する。一方、上記のフィルタ素子を含むこの種のフィルタ素子では、１０ＭＨｚ以下の周波数領域では、十分なノイズ低減効果を発揮できるものの、１０ＭＨｚを超える周波数領域では、周波数が高くなるほどノイズ低減効果が徐々に低下することが、発明者の実験結果から明らかとなっており、高周波領域において更なるノイズ低減が可能なフィルタ素子の開発が求められている。
【０００４】
本発明は、かかる課題に鑑みてなされたものであり、引出線や配線同士の接触を回避しつつ引出線同士を容易に接続し得るフィルタ素子を提供することを主目的とする。また、高周波領域においてノイズ低減効果を向上し得るフィルタ素子を提供することを他の主目的とする。
【課題を解決するための手段】
【０００５】
上記目的を達成すべく請求項１記載のフィルタ素子は、帯状の絶縁体の一面において当該絶縁体の幅方向で互いに離間させた状態でｎ（ｎは２以上の自然数）本の帯状の信号用導電体を並設した信号用帯状体、および帯状の絶縁体の一面において当該絶縁体の幅方向で互いに離間させた状態でｎ本の帯状の接地用導電体を並設した接地用帯状体を重ね合わせて筒状に巻回したコイル部と、前記各信号用導電体のうちの一つにおける前記筒状に巻回したときの巻終わり側に位置する所定部位に接続された入力端子と、当該入力端子が接続された信号用導電体を除く他のすべての前記信号用導電体における前記巻終わり側に位置する各々の所定部位にそれぞれ接続された巻終わり側信号用引出線と、当該巻終わり側信号用引出線が接続された前記各信号用導電体のうちの一つにおける前記筒状に巻回したときの巻初め側に位置する所定部位に接続された出力端子と、当該出力端子が接続された信号用導電体を除く他のすべての前記信号用導電体における前記巻初め側に位置する各々の所定部位にそれぞれ接続されると共にすべての前記信号用導電体が直列に接続されるように前記各巻終わり側信号用引出線にそれぞれ一対一で接続される巻初め側信号用引出線と、前記各接地用導電体のうちの一つにおける前記巻終わり側に位置する所定部位に接続された接地端子と、当該接地端子が接続された接地用導電体を除く他のすべての前記接地用導電体における前記巻終わり側に位置する各々の所定部位にそれぞれ接続された巻終わり側接地用引出線と、前記接地端子が接続された接地用導電体を含む（ｎ−１）本の前記接地用導電体における前記巻初め側に位置する各々の所定部位にそれぞれ接続されると共にすべての前記接地用導電体が直列に接続されるように前記巻終わり側接地用引出線にそれぞれ一対一で接続される巻初め側接地用引出線とを備え、前記コイル部の中心軸を通る仮想平面によって区画される当該コイル部における２つの区画部位の一方の内周側部位から前記出力端子が引き出されると共に、前記２つの区画部位の他方における外周側部位から前記入力端子が引き出され、かつ前記一方の区画部位における外周側部位から前記接地端子が引き出されているフィルタ素子であって、前記巻終わり側接地用引出線は、前記一方の区画部位における外周側部位から引き出され、前記巻初め側接地用引出線は、前記一方の区画部位における内周側部位から引き出され、前記巻終わり側信号用引出線は、前記他方の区画部位における外周側部位から引き出され、前記巻初め側信号用引出線は、前記他方の区画部位における内周側部位から引き出されている。ここで、本明細書における「帯状の導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。
【０００６】
また、請求項２記載のフィルタ素子は、帯状の絶縁体の一面における幅方向に沿った一方の領域において当該絶縁体の幅方向で互いに離間させてｎ（ｎは２以上の自然数）本の帯状の第１信号用導電体を並設すると共に当該一面における幅方向に沿った他方の領域において当該絶縁体の幅方向で互いに離間させてｎ本の帯状の第２信号用導電体を並設した信号用帯状体、および帯状の絶縁体の一面における幅方向に沿った一方の領域において当該絶縁体の幅方向で互いに離間させてｎ本の帯状の第１接地用導電体を並設すると共に当該一面における幅方向に沿った他方の領域において当該絶縁体の幅方向で互いに離間させてｎ本の帯状の第２接地用導電体を並設した接地用帯状体を重ね合わせて筒状に巻回したコイル部と、前記各第１信号用導電体のうちの一つにおける前記筒状に巻回したときの巻終わり側に位置する所定部位に接続された第１入力端子と、当該第１入力端子が接続された第１信号用導電体を除く他のすべての前記第１信号用導電体における前記巻終わり側に位置する各々の所定部位にそれぞれ接続された第１巻終わり側信号用引出線と、当該第１巻終わり側信号用引出線が接続された前記各第１信号用導電体のうちの一つにおける前記筒状に巻回したときの巻初め側に位置する所定部位に接続された第１出力端子と、当該第１出力端子が接続された第１信号用導電体を除く他のすべての前記第１信号用導電体における前記巻初め側に位置する各々の所定部位にそれぞれ接続されると共にすべての前記第１信号用導電体が直列に接続されるように前記各第１巻終わり側信号用引出線にそれぞれ一対一で接続される第１巻初め側信号用引出線と、前記各第２信号用導電体のうちの一つにおける前記巻終わり側に位置する所定部位に接続された第２入力端子と、当該第２入力端子が接続された第２信号用導電体を除く他のすべての前記第２信号用導電体における前記巻終わり側に位置する各々の所定部位にそれぞれ接続された第２巻終わり側信号用引出線と、当該第２巻終わり側信号用引出線が接続された前記各第２信号用導電体のうちの一つにおける前記巻初め側に位置する所定部位に接続された第２出力端子と、当該第２出力端子が接続された第２信号用導電体を除く他のすべての前記第２信号用導電体における前記巻初め側に位置する各々の所定部位にそれぞれ接続されると共にすべての前記第２信号用導電体が直列に接続されるように前記各第２巻終わり側信号用引出線にそれぞれ一対一で接続される第２巻初め側信号用引出線と、前記各第１接地用導電体のうちの一つにおける前記巻終わり側に位置する所定部位に接続された第１接地端子と、当該第１接地端子が接続された第１接地用導電体を除く他のすべての前記第１接地用導電体における前記巻終わり側に位置する各々の所定部位にそれぞれ接続された第１巻終わり側接地用引出線と、前記第１接地端子が接続された第１接地用導電体を含む（ｎ−１）本の前記第１接地用導電体における前記巻初め側に位置する各々の所定部位にそれぞれ接続されると共にすべての前記第１接地用導電体が直列に接続されるように前記第１巻終わり側接地用引出線にそれぞれ一対一で接続される第１巻初め側接地用引出線と、前記各第２接地用導電体のうちの一つにおける前記巻終わり側に位置する所定部位に接続された第２接地端子と、当該第２接地端子が接続された第２接地用導電体を除く他のすべての前記第２接地用導電体における前記巻終わり側に位置する各々の所定部位にそれぞれ接続された第２巻終わり側接地用引出線と、前記第２接地端子が接続された第２接地用導電体を含む（ｎ−１）本の前記第２接地用導電体における前記巻初め側に位置する各々の所定部位にそれぞれ接続されると共にすべての前記第２接地用導電体が直列に接続されるように前記第２巻終わり側接地用引出線にそれぞれ一対一で接続される第２巻初め側接地用引出線とを備え、前記コイル部の中心軸を通る仮想平面によって区画される当該コイル部における２つの区画部位の一方の内周側部位から前記両出力端子が引き出されると共に、前記２つの区画部位の他方における外周側部位から前記両入力端子が引き出され、かつ前記一方の区画部位における外周側部位から前記両接地端子が引き出されているフィルタ素子であって、前記両巻終わり側接地用引出線は、前記一方の区画部位における外周側部位から引き出され、前記両巻初め側接地用引出線は、前記一方の区画部位における内周側部位から引き出され、前記両巻終わり側信号用引出線は、前記他方の区画部位における外周側部位から引き出され、前記両巻初め側信号用引出線は、前記他方の区画部位における内周側部位から引き出されている。
【発明の効果】
【０００７】
請求項１記載のフィルタ素子によれば、巻終わり側接地用引出線を一方の区画部位における外周側部位から引き出し、巻初め側接地用引出線を一方の区画部位における内周側部位から引き出し、巻終わり側信号用引出線を他方の区画部位における外周側部位から引き出し、巻初め側信号用引出線を他方の区画部位における内周側部位から引き出したことにより、例えば、各引出線のすべてを一方の区画部位（または他方の区画部位）から引き出す構成とは異なり、各引出線が輻輳することに起因して、各引出線を例えば接続線で接続する作業が困難となったり、各引出線や接続線同士が接触したりする事態を確実に防止することができる。また、このフィルタ素子によれば、各引出線を上記のように引き出したことにより、高周波数帯域におけるノイズ低減率を十分に向上させることができる。
【０００８】
また、請求項２記載のフィルタ素子によれば、両巻終わり側接地用引出線を一方の区画部位における外周側部位から引き出し、両巻初め側接地用引出線を一方の区画部位における内周側部位から引き出し、両巻終わり側信号用引出線を他方の区画部位における外周側部位から引き出し、両巻初め側信号用引出線を他方の区画部位における内周側部位から引き出したことにより、各引出線を例えば接続線で接続する作業が困難となったり、各引出線や接続線同士が接触したりする事態を確実に防止することができると共に、高周波数帯域におけるノイズ低減率を十分に向上させることができる。
【発明を実施するための最良の形態】
【０００９】
以下、本発明に係るフィルタ素子について、添付図面を参照して説明する。  
【００１０】
最初に、フィルタ素子１について、図面を参照して説明する。
【００１１】
フィルタ素子１は、図１に示すように、コイル部２と、柱状（一例として円柱状）の磁性体で構成されると共にコイル部２の空隙Ｈ内に装着された磁性コア３とを備え、分布定数型の５端子型ノイズフィルタ（低域通過型のコモンモードフィルタ）に構成されている。コイル部２は、図２に示すように、信号用帯状体１１および接地用帯状体１２を備えて構成されている。また、コイル部２は、一例として、同図に示すように、接地用帯状体１２の上に信号用帯状体１１を重ね合わせた状態で巻回することにより、中心部に空隙Ｈを有する全体として筒状（円筒状）に形成されている。なお、以下の説明において、両帯状体１１，１２を巻回する際に巻き始めとなる両帯状体１１，１２および両帯状体１１，１２の各構成要素の一端側（例えば、図４における右端部側）を「巻初め側」ともいう。また、両帯状体１１，１２を巻回する際に巻き終わりとなる両帯状体１１，１２および両帯状体１１，１２の各構成要素の他端側（例えば、同図における左端部側）を「巻終わり側」ともいう。
【００１２】
信号用帯状体１１は、図４に示すように、絶縁体２１ａ、ｎ（ｎは２以上の自然数で、一例としてｎ＝２）本の信号用導電体２２ａ，２２ｂ（以下、区別しないときは「信号用導電体２２」ともいう）、およびｎ本の信号用導電体２３ａ，２３ｂ（以下、区別しないときは「信号用導電体２３」ともいう）を備えて構成されている。絶縁体２１ａは、一例として、誘電性および電気的絶縁性を有する材料によって所定の長さの帯状に形成されている。信号用導電体２２ａ，２２ｂは、本発明における第１信号用導電体に相当し、一例として、互いに同じ幅でかつ同じ長さの帯状に形成されている。また、信号用導電体２２ａ，２２ｂは、同図に示すように、絶縁体２１ａの一面における幅方向に沿った一方（両図における上側）の半領域（本発明における一方の領域）Ａ１において、絶縁体２１ａの幅方向で互いに離間させた状態で並設されている。信号用導電体２３ａ，２３ｂは、本発明における第２信号用導電体に相当し、一例として、信号用導電体２２ａ，２２ｂと同じ幅でかつ同じ長さに形成されている。また、信号用導電体２３ａ，２３ｂは、絶縁体２１ａの一面における幅方向に沿った他方（両図における下側）の半領域（本発明における他方の領域）Ａ２において、絶縁体２１ａの幅方向で互いに離間させた状態で並設されている。
【００１３】
また、図４に示すように、信号用導電体２２ａ，２２ｂのうちの一つ（例えば、信号用導電体２２ｂ）における巻終わり側（同図における左端部側）に位置する所定部位には、本発明における第１入力端子に相当する入力端子３１ａが接続されている。また、入力端子３１ａが接続された信号用導電体２２（この場合、信号用導電体２２ｂ）を除く他の信号用導電体２２のうちの一つ（この場合、信号用導電体２２ａ）における巻初め側（同図における右端部側）に位置する所定部位には、本発明における第１出力端子に相当する出力端子３１ｂが接続されている。また、入力端子３１ａが接続された信号用導電体２２（この場合、信号用導電体２２ｂ）を除く他のすべての信号用導電体２２（この場合、信号用導電体２２ａ）における巻終わり側に位置する所定部位（本発明における各々の所定部位の一例）には、本発明における第１巻終わり側信号用引出線に相当する信号用引出線３１ｃが接続されている。さらに、出力端子３１ｂが接続された信号用導電体２２（この場合、信号用導電体２２ａ）を除く他のすべての信号用導電体２２（この場合、信号用導電体２２ｂ）における巻初め側に位置する所定部位（本発明における各々の所定部位の一例）には、本発明における第１巻初め側信号用引出線に相当する信号用引出線３１ｄが接続され、この信号用引出線３１ｄと信号用引出線３１ｃとが接続線３４ａによって一対一で接続される。
【００１４】
また、図４に示すように、信号用導電体２３ａ，２３ｂのうちの一つ（例えば、信号用導電体２３ａ）における巻終わり側（同図における左端部側）に位置する所定部位には、本発明における第２入力端子に相当する入力端子３１ｅが接続されている。また、信号用導電体２３ａ，２３ｂのうちの入力端子３１ｅが接続された信号用導電体２３（この場合、信号用導電体２３ａ）を除く他の信号用導電体２３のうちの一つ（この場合、信号用導電体２３ｂ）における巻初め側（同図における右端部側）に位置する所定部位には、本発明における第２出力端子に相当する出力端子３１ｆが接続されている。また、入力端子３１ｅが接続された信号用導電体２３（この場合、信号用導電体２３ａ）を除く他のすべての信号用導電体２３（この場合、信号用導電体２３ｂ）における巻終わり側に位置する所定部位（本発明における各々の所定部位の一例）には、本発明における第２巻終わり側信号用引出線に相当する信号用引出線３１ｇが接続されている。さらに、出力端子３１ｆが接続された信号用導電体２３（この場合、信号用導電体２３ｂ）を除く他のすべての信号用導電体２３（この場合、信号用導電体２３ａ）における巻初め側に位置する所定部位（本発明における各々の所定部位の一例）には、本発明における第２巻初め側信号用引出線に相当する信号用引出線３１ｈ（以下、信号用引出線３１ｃ，３１ｄ，３１ｇ，３１ｈを区別しないときには「信号用引出線３１」ともいう）が接続され、この信号用引出線３１ｈと信号用引出線３１ｇとが接続線３４ｂによって一対一で接続される。
【００１５】
一方、接地用帯状体１２は、図４に示すように、絶縁体２１ｂ（以下、上記した絶縁体２１ａと区別しないときには「絶縁体２１」ともいう）、ｎ本の接地用導電体２４ａ，２４ｂ（以下、区別しないときは「接地用導電体２４」ともいう）、およびｎ本の接地用導電体２５ａ，２５ｂ（以下、区別しないときは「接地用導電体２５」ともいう）を備えて構成されている。絶縁体２１ｂは、一例として、誘電性および電気的絶縁性を有する材料によって上記した絶縁体２１ａと同じ長さでかつ同じ幅の帯状に形成されている。接地用導電体２４ａ，２４ｂは、本発明における第１接地用導電体に相当し、一例として、信号用帯状体１１と接地用帯状体１２とを重ね合わせたときに、信号用導電体２２ａ，２２ｂにそれぞれ対向するようにして、絶縁体２１ｂの一面における幅方向に沿った一方（両図における上側）の半領域（本発明における一方の領域）Ｂ１において、絶縁体２１ｂの幅方向で互いに離間させた状態で並設されている。
【００１６】
また、図４に示すように、接地用導電体２４ａ，２４ｂのうちの一つ（例えば、接地用導電体２４ｂ）における巻終わり側（同図における左端部側）に位置する所定部位には、本発明における第１接地端子に相当する接地端子３５ａが接続されている。また、接地端子３５ａが接続された接地用導電体２４（この場合、接地用導電体２４ｂ）を除く他のすべての接地用導電体２４（この場合、接地用導電体２４ａ）における巻終わり側に位置する所定部位（本発明における各々の所定部位の一例）には、本発明における第１巻終わり側接地用引出線に相当する接地用引出線３５ｃが接続されている。また、接地端子３５ａが接続された接地用導電体２４（この場合、接地用導電体２４ｂ）を含む（ｎ−１）本（この場合、ｎ＝２のため１本）の接地用導電体２４（つまり、接地用導電体２４ｂ）における巻初め側に位置する所定部位（本発明における各々の所定部位の一例）には、本発明における第１巻初め側接地用引出線に相当する接地用引出線３５ｂが接続され、この接地用引出線３５ｂと接地用引出線３５ｃとが接続線３４ｃによって一対一で接続される。
【００１７】
接地用導電体２５ａ，２５ｂは、本発明における第２接地用導電体に相当し、一例として、信号用帯状体１１と接地用帯状体１２とを重ね合わせたときに、信号用帯状体１１の信号用導電体２３ａ，２３ｂにそれぞれ対向するようにして、絶縁体２１ｂの一面における幅方向に沿った他方（両図における下側）の半領域（本発明における他方の領域）Ｂ２において、絶縁体２１ｂの幅方向で互いに離間させた状態で並設されている。また、図４に示すように、接地用導電体２５ａ，２５ｂのうちの一つ（例えば、接地用導電体２５ａ）における巻終わり側（同図における左端部側）に位置する所定部位には、本発明における第２接地端子に相当する接地端子３５ｄが接続されている。また、接地端子３５ｄが接続された接地用導電体２５（この場合、接地用導電体２５ａ）を除く他のすべての接地用導電体２５（この場合、接地用導電体２５ｂ）における巻終わり側に位置する所定部位（本発明における各々の所定部位の一例）には、本発明における第２巻終わり側接地用引出線に相当する接地用引出線３５ｆが接続されている。また、接地端子３５ｄが接続された接地用導電体２５（この場合、接地用導電体２５ａ）を含む（ｎ−１）本（この場合、ｎ＝２のため１本）の接地用導電体２５（つまり、接地用導電体２５ａ）における巻初め側に位置する所定部位（本発明における各々の所定部位の一例）には、本発明における第２巻初め側接地用引出線に相当する接地用引出線３５ｅが接続され、この接地用引出線３５ｅと接地用引出線３５ｆ（以下、接地用引出線３５ｂ，３５ｃ，３５ｅ，３５ｆを区別しないときには「接地用引出線３５」ともいう）とが接続線３４ｄ（以下、接続線３４ａ〜３４ｄを区別しないときには「接続線３４」ともいう）によって一対一で接続される。
【００１８】
ここで、信号用導電体２２ａ，２３ｂにおける出力端子３１ｂ，３１ｆの接続位置は、図３に示すように、コイル部２の中心軸Ｏを通る仮想平面Ｌによって仮想的に区画される２つの区画部位（以下、この２つの区画部位をそれぞれ「半体Ｐ１，Ｐ２」ともいう）の一方（この場合、半体Ｐ１）における内周側部位から出力端子３１ｂ，３１ｆが引き出されるようにそれぞれ規定されている。また、信号用導電体２２ｂ，２３ａにおける入力端子３１ａ，３１ｅの接続位置は、半体Ｐ１，Ｐ２の他方（この場合、半体Ｐ２）における外周側部位から入力端子３１ａ，３１ｅが引き出されるようにそれぞれ規定されている。また、接地用導電体２４ｂ，２５ａにおける接地端子３５ａ，３５ｄの接続位置は、半体Ｐ１における外周側部位から接地端子３５ａ，３５ｄが引き出されるようにそれぞれ規定されている。
【００１９】
さらに、信号用導電体２２ａ，２３ｂにおける信号用引出線３１ｃ，３１ｇの接続位置は、半体Ｐ２における外周側部位から信号用引出線３１ｃ，３１ｇが引き出されるようにそれぞれ規定されている。また、信号用導電体２２ｂ，２３ａにおける信号用引出線３１ｄ，３１ｈの接続位置は、半体Ｐ２における内周側部位から信号用引出線３１ｄ，３１ｈが引き出されるようにそれぞれ規定されている。また、接地用導電体２４ａ，２５ｂにおける接地用引出線３５ｃ，３５ｆの接続位置は、半体Ｐ１における外周側部位から接地用引出線３５ｃ，３５ｆが引き出されるようにそれぞれ規定されている。また、接地用導電体２４ｂ，２５ａにおける接地用引出線３５ｂ，３５ｅの接続位置は、半体Ｐ１における内周側部位から接地用引出線３５ｂ，３５ｅが引き出されるようにそれぞれ規定されている。
【００２０】
フィルタ素子１は、以上の構成により、信号用引出線３１ｃ，３１ｇが半体Ｐ２における外周側部位から引き出されると共に、信号用引出線３１ｄ，３１ｈが半体Ｐ２における内周側部位から引き出されている。また、接地用引出線３５ｃ，３５ｆが半体Ｐ１における外周側部位から引き出されると共に、接地用引出線３５ｂ，３５ｅが半体Ｐ１における内周側部位から引き出されている。このため、このフィルタ素子１では、例えば、各信号用引出線３１および各接地用引出線３５のすべてが半体Ｐ１または半体Ｐ２から引き出されている構成とは異なり、各引出線３１，３５が輻輳して各引出線３１，３５を接続線３４で接続する作業が困難となったり、引出線３１，３５や接続線３４同士が接触したりする事態を確実に防止することが可能となっている。
【００２１】
また、フィルタ素子１では、以上の構成により、信号用導電体２２ｂ，２２ａが、入力端子３１ａと出力端子３１ｂとの間において、信号用引出線３１ｄ、接続線３４ａおよび接続線３１ｃを介して絶縁体２１ａの長手方向に沿って折り返した状態で直列に接続される。また、信号用導電体２３ａ，２３ｂが、入力端子３１ｅと出力端子３１ｆとの間において、信号用引出線３１ｈ、接続線３４ｂおよび信号用引出線３１ｇを介して絶縁体２１ａの長手方向に沿って折り返した状態で直列に接続される。さらに、接地用導電体２４ａ，２４ｂが、接地用引出線３５ｂ、接続線３４ｃおよび接地用引出線３５ｃを介して絶縁体２１ｂの長手方向に沿って折り返した状態で直列に接続され、接地用導電体２５ａ，２５ｂが、接地用引出線３５ｅ、接続線３４ｄおよび接地用引出線３５ｆを介して絶縁体２１ｂの長手方向に沿って折り返した状態で直列に接続される。
【００２２】
このため、このフィルタ素子１では、信号用導電体２２ａ，２２ｂを流れる電流の向きが同一方向となり、信号用導電体２３ａ，２３ｂを流れる電流の向きが同一方向となっている。したがって、このフィルタ素子１では、入力端子と出力端子との間に信号用導電体を一つずつ配設した構成と比較して、直径を同等に維持しつつ、信号用導電体２２の巻回数を実質的に２倍とすることが可能なため、信号用導電体２２のインダクタンスを４倍に増加させることが可能となっている。したがって、大径化（大型化）を回避しつつ、優れたノイズ減衰特性を有するコモンモードフィルタとしてのフィルタ素子１を実現することが可能となっている。  
【００２３】
なお、発明者は、フィルタ素子１の特性を検証するため、次のような実験を行った。この実験では、まず、実験対象としてのフィルタ素子１を作製すると共に、比較用のフィルタ素子（以下、このフィルタ素子を「フィルタ素子２０１」ともいう）を作製した。この場合、フィルタ素子２０１では、図５に示すように、入力端子３１ａ，３１ｅが半体Ｐ２における外周側部位から引き出されると共に、出力端子３１ｂ，３１ｆ、信号用引出線３１ｄ，３１ｈおよび接地用引出線３５ｂ，３５ｅが半体Ｐ１における内周側部位から引き出され、かつ接地端子３５ａ，３５ｄ、信号用引出線３１ｃ，３１ｇおよび接地用引出線３５ｃ，３５ｆが半体Ｐ１における外周側部位から引き出されるように構成した。次いで、実験対象のフィルタ素子１および比較対象のフィルタ素子２０１に検査信号（ノイズ）を通過させて、検査信号の周波数毎のノイズ減衰量を測定した。この結果、図６に示すように、このフィルタ素子１では、フィルタ素子２０１と比較して、１０ＭＨｚ〜５０ＭＨｚの高周波数帯域におけるノイズ低減率が数ｄＢ〜１０ｄＢ程度向上するのが明らかである。
【００２４】
このように、このフィルタ素子１によれば、接地用引出線３５ｃ，３５ｆを半体Ｐ１における外周側部位から引き出し、接地用引出線３５ｂ，３５ｅを半体Ｐ１における内周側部位から引き出し、信号用引出線３１ｃ，３１ｇを半体Ｐ２における外周側部位から引き出し、信号用引出線３１ｄ，３１ｈを半体Ｐ２における内周側部位から引き出したことにより、例えば、各信号用引出線３１および各接地用引出線３５のすべてを半体Ｐ１（または半体Ｐ２）から引き出す構成とは異なり、各引出線３１，３５が輻輳することに起因して、各引出線３１，３５を接続線３４で接続する作業が困難となったり、引出線３１，３５や接続線３４同士が接触したりする事態を確実に防止することができる。また、このフィルタ素子１によれば、信号用引出線３１ｃ，３１ｄ，３１ｇ，３１ｈおよび接地用引出線３５ｂ，３５ｃ，３５ｅ，３５ｆを上記のように引き出したことにより、高周波数帯域におけるノイズ低減率を十分に向上させることができる。
【００２５】
なお、本発明は、上記の構成に限定されない。例えば、コモンモードフィルタとしてのフィルタ素子１を例に挙げて説明したが、図７，８に示すノーマルモードフィルタとしてのフィルタ素子１０１に本発明を適用することもできる。なお、以下の説明において、上記したフィルタ素子１と同じ構成要素については、同一の符号を付して重複する説明を省略する。
【００２６】
フィルタ素子１０１は、接地用帯状体１１２の上に信号用帯状体１１１を重ね合わせた状態で巻回することにより、図７に示すように、全体として筒状（円筒状）に形成されたコイル部１０２と、コイル部１０２の空隙Ｈ内に装着された磁性コア３とを備えて構成されている。この場合、信号用帯状体１１１は、図８に示すように、絶縁体２１ａと、絶縁体２１ａの幅方向で互いに離間させた状態で並設されたｎ（一例としてｎ＝２）本の信号用導電体２２ａ，２２ｂとを備えて、フィルタ素子１における信号用帯状体１１の半領域（図４における例えば上側半分の領域）と同等に構成されている。また、接地用帯状体１１２は、絶縁体２１ｂと、絶縁体２１ｂの幅方向で互いに離間させた状態で並設されたｎ本の接地用導電体２４ａ，２４ｂとを備えて、フィルタ素子１における接地用帯状体１２の半領域（同図における例えば上側半分の領域）と同等に構成されている。
【００２７】
このフィルタ素子１０１では、図７に示すように、コイル部１０２の中心軸Ｏを通る仮想平面Ｌによって仮想的に区画される２つの区画部位（以下、この２つの区画部位をそれぞれ「半体Ｐ３，Ｐ４」ともいう）の一方（この場合、半体Ｐ３）における外周側部位から接地端子３５ａおよび接地用引出線３５ｃが引き出されると共に、半体Ｐ３における内周側部位から出力端子３１ｂおよび接地用引出線３５ｂが引き出されている。また、半体Ｐ３，Ｐ４の他方（この場合、半体Ｐ４）における外周側部位から入力端子３１ａおよび信号用引出線３１ｃが引き出されると共に、半体Ｐ４における内周側部位から信号用引出線３１ｄが引き出されている。このフィルタ素子１０１によれば、接地用引出線３５ｃを半体Ｐ３における外周側部位から引き出し、接地用引出線３５ｂを半体Ｐ３における内周側部位から引き出し、信号用引出線３１ｃを半体Ｐ４における外周側部位から引き出し、信号用引出線３１ｄを半体Ｐ４における内周側部位から引き出したことにより、例えば、各信号用引出線３１および各接地用引出線３５のすべてを半体Ｐ３（または半体Ｐ４）から引き出した構成とは異なり、各引出線３１，３５が輻輳することに起因して、各引出線３１，３５を接続線３４で接続する作業が困難となったり、引出線３１，３５や接続線３４同士が接触したりする事態を確実に防止することができる。
【００２８】
また、柱状（円柱状）の磁性コア３を備えた例について上記したが、磁性コア３に代えて、いわゆるポットコアやＥＩ型コア（またはＥＥ型コア）を用いることもできる。また、信号用導電体２２，２３および接地用導電体２４，２５をそれぞれ２本備えた例について上記したが、これらの数は２本に限定されず任意の複数に規定することができる。
【図面の簡単な説明】
【００２９】
【図１】フィルタ素子１の構成を示す斜視図である。
【図２】フィルタ素子１の構成を示すために、信号用帯状体１１および接地用帯状体１２の巻終わり側を巻き解いた状態のフィルタ素子１の斜視図である。
【図３】フィルタ素子１を一方の端面から見た平面図である。
【図４】信号用帯状体１１および接地用帯状体１２の構成を示す斜視図である。
【図５】フィルタ素子２０１を一方の端面から見た平面図である。
【図６】フィルタ素子１およびフィルタ素子２０１のノイズ減衰特性を示すノイズ減衰特性図である。
【図７】フィルタ素子１０１を一方の端面から見た平面図である。
【図８】フィルタ素子１０１における信号用帯状体１１１および接地用帯状体１１２の構成を示す斜視図である。
【符号の説明】
【００３０】
１，１０１  フィルタ素子
２，１０２  コイル部
Ｐ１〜Ｐ４  半体
１１  信号用帯状体
１２  接地用帯状体
２１ａ，２１ｂ  絶縁体
２２ａ，２２ｂ，２３ａ，２３ｂ  信号用導電体
２４ａ，２４ｂ，２５ａ，２５ｂ  接地用導電体
３１ａ，３１ｅ  入力端子
３１ｂ，３１ｆ  出力端子
３１ｃ，３１ｄ，３１ｇ，３１ｈ  信号用引出線
３５ａ，３５ｄ  接地端子
３５ｂ，３５ｃ，３５ｅ，３５ｆ  接地用引出線
Ａ１，Ａ２，Ｂ１，Ｂ２  半領域
Ｌ  仮想平面
Ｏ  中心軸
【図１】
0004456055.tif 000002
【図２】
0004456055.tif 000003
【図３】
0004456055.tif 000004
【図４】
0004456055.tif 000005
【図５】
0004456055.tif 000006
【図６】
0004456055.tif 000007
【図７】
0004456055.tif 000008
【図８】
0004456055.tif 000009